(57)【要約】【課題】携帯電話がイヤホンとマイクロフォンの兼用端子に代えてイヤホン専用端子が設けられた機種であっても、通話相手の電話機においてエコー現象が発生するのを抑制できるようにする。【解決手段】携帯電話とオーディオ機器とが接続ケーブル７を介して選択的に接続される外部接続端子３１と、外部接続端子３１より取り込まれた携帯電話での音声受信信号またはオーディオ機器が出力するオーディオ信号を増幅する増幅回路４１を含む信号処理回路４と、増幅回路４１による増幅出力を音に変換して出力するスピーカー４０とを備える。信号処理回路４は、外部接続端子３１より取り込まれた信号に含まれる低周波成分の通過を規制するフィルタ回路５と、増幅回路４１による増幅出力の大きさに応じてフィルタ回路５における低周波成分の通過の規制度合を制御する制御回路６を含む。【選択図】図４
2011114650.tif 000002
【特許請求の範囲】
【請求項１】
携帯電話とオーディオ機器とが接続ケーブルを介して選択的に接続される外部接続端子と、外部接続端子より取り込まれた携帯電話での音声受信信号またはオーディオ機器が出力するオーディオ信号を増幅する増幅回路を含む信号処理回路と、前記増幅回路による増幅出力を音に変換して出力するスピーカーとを備え、前記信号処理回路は、外部接続端子より取り込まれた信号に含まれる低周波成分の通過を規制するフィルタ回路と、前記増幅回路による増幅出力の大きさに応じて前記フィルタ回路における低周波成分の通過の規制度合を制御する制御回路とを含んで成るスピーカー付きアンプ。
【請求項２】
前記フィルタ回路は、外部接続端子にコンデンサと抵抗とを接続して構成されるローカットフィルタであり、前記制御回路は、前記増幅回路による増幅出力を全波整流して得られる信号を入力として能動領域で動作させるトランジスタを含んでおり、前記ローカットフィルタの抵抗に前記トランジスタの出力端を直列に接続して、その両端よりローカットフィルタの出力を得るようにした請求項１に記載されたスピーカー付きアンプ。
【請求項３】
イヤホン専用端子を有する携帯電話に適用される携帯電話のハンズフリー装置であって、請求項１または２に記載されたスピーカー付きアンプと、スピーカー付きアンプの外部接続端子と携帯電話の前記イヤホン専用端子との間をつなぐ接続ケーブルとから成る携帯電話のハンズフリー装置。
【請求項４】
イヤホンとマイクロフォンの兼用端子を有する携帯電話に適用される携帯電話のハンズフリー装置であって、請求項１または２に記載されたスピーカー付きアンプと、スピーカー付きアンプの外部接続端子と携帯電話の前記兼用端子との間をつなぐ接続ケーブルとから成り、前記接続ケーブルにはマイクロフォンが組み込まれた操作部が設けられている携帯電話のハンズフリー装置。
【発明の詳細な説明】
【技術分野】
【０００１】
この発明は、携帯電話で受信した音声信号（以下「音声受信信号」という。）を増幅して通話相手の音声をスピーカーより出力させるスピーカー付きアンプと、携帯電話を手に持たずに通話することが可能な携帯電話のハンズフリー装置とに関し、特に、この発明は、通話相手の音声をスピーカーより出力させるという用途に加えて、小型で小出力のオーディオ機器が出力するオーディオ信号を増幅してスピーカーより出力させるという用途にも適用できるスピーカー付きアンプと、そのスピーカー付きアンプが用いられた携帯電話のハンズフリー装置とに関する。
【背景技術】
【０００２】
携帯電話の普及により走行中の車両において携帯電話による通話が行われるようになり、それが原因で交通事故が多発している。特に、運転中、着信に応答すると、前方不注意となったり、注意散漫になったりして、これが原因で事故を引き起こすおそれがある。そこで、着信時、携帯電話を片手に持って操作したり応答したりすることを要しない携帯電話のハンズフリー装置が提案された（例えば、特許文献１参照）。
【０００３】
このハンズフリー装置は、携帯電話に設けられているイヤホンとマイクロフォンの兼用端子（以下、単に「兼用端子」という。）を利用したもので、携帯電話での音声受信信号を前記兼用端子から外部へ取り出してスピーカーより音声で出力させ、一方、外部接続されたマイクロフォンへ音声入力して得られた相手へ送信すべき音声信号（以下「音声送信信号」という。）を兼用端子から携帯電話へ送るようにしている。
【０００４】
上記した携帯電話のハンズフリー装置は、スピーカーより出力された通話相手の音声が送話者の音声に混じってマイクロフォンで集音される結果、通話相手の電話機において自らが発した音声がやまびこのように響き渡る現象（エコー現象）を引き起こす、という問題がある。この問題を解消するために、出願人は先般、携帯電話のハンズフリー装置に用いた場合に、通話相手の電話機においてエコー現象が発生するのを抑制でき、加えて、小型で小出力のオーディオ機器が出力するオーディオ信号を増幅してスピーカーより出力させるという用途にも適用できるスピーカー付きアンプと、そのスピーカー付きアンプが用いられた携帯電話のハンズフリー装置とを提案した（特許文献２参照）。
【先行技術文献】
【特許文献】
【０００５】
【特許文献１】特開平１０−２２４４４９号公報
【特許文献２】特開２００８−１３１４７８号公報
【０００６】
図７は、特許文献２に記載されたスピーカー付きアンプ９の概略構成を示すもので、携帯電話１とオーディオ機器２とが接続ケーブルを介して選択的に接続される外部接続端子９０と、この外部接続端子９０より取り込まれた携帯電話１での音声受信信号よりエコー現象を引き起こす要因となっている低周波成分をカットするフィルタ回路９２と、低周波成分がカットされた音声受信信号またはオーディオ機器２が出力するオーディオ信号を増幅してスピーカー９３へ出力する増幅回路９４とを含んでいる。
携帯電話１は通話可能な状態にあるとき、音声送信信号の送信回路が信号送信が可能な電圧レベルに設定されており、その通話可能な状態にある携帯電話１が外部接続端子９０に接続されているとき、半導体スイッチ９１のスイッチング動作によりフィルタ回路９２が能動化される。外部接続端子９０にオーディオ機器２が接続されているときは、前記の電圧レベルは検出されないので、半導体スイッチ９１のスイッチング動作によりフィルタ回路９２が非能動化される。
【０００７】
なお、上記したイヤホンとマイクロフォンの兼用端子が設けられた携帯電話では、マイクロフォン付きのイヤホンを前記兼用端子に接続することが可能であり、携帯電話をポケットなどに入れた状態で通話相手と会話できるなどの利便性がある。
近年、携帯電話の進歩は目覚ましく、携帯電話の機能が多様化しており、例えば携帯電話のメモリに音楽をダウンロードして聴くことに重きを置いた携帯電話が普及している。
【発明の概要】
【発明が解決しようとする課題】
【０００８】
最近のその種の携帯電話の中には、前記兼用端子に代えて、主として音楽を聴くためのイヤホン専用端子が設けられている機種がある。この機種の携帯電話は、イヤホンとマイクロフォンの兼用端子が設けられていないので、携帯電話のイヤホン専用端子と上記したスピーカー付きアンプの外部接続端子とを接続ケーブルを介して接続しても、外部接続端子に前記の電圧レベルは取り出せず、携帯電話の接続を検出できないため、フィルタ回路９２は能動化されず、低周波成分はカットされない。このため、通話相手の電話機においてエコー現象の発生を防止できない。
【０００９】
この発明は、上記した問題に着目してなされたもので、携帯電話のハンズフリー装置に用いた場合に、携帯電話がイヤホンとマイクロフォンの兼用端子に代えてイヤホン専用端子が設けられたような機種であっても、通話相手の電話機においてエコー現象が発生するのを抑制できるスピーカー付きアンプと、そのアンプが用いられた携帯電話のハンズフリー装置とを提供することを目的とする。
【００１０】
この発明が他に目的とするところは、通話相手の音声をスピーカーより出力させるという用途に加えて、小型で小出力のオーディオ機器が出力するオーディオ信号を増幅してスピーカーより出力させるという用途にも適用できるスピーカー付きアンプと、そのスピーカー付きアンプが用いられた携帯電話のハンズフリー装置とを提供することにある。
【課題を解決するための手段】
【００１１】
この発明によるスピーカー付きアンプは、携帯電話とオーディオ機器とが接続ケーブルを介して選択的に接続される外部接続端子と、外部接続端子より取り込まれた携帯電話での音声受信信号またはオーディオ機器が出力するオーディオ信号を増幅する増幅回路を含む信号処理回路と、前記増幅回路による増幅出力を音に変換して出力するスピーカーとを備えたものであり、前記信号処理回路は、外部接続端子より取り込まれた信号に含まれる低周波成分の通過を規制するフィルタ回路と、前記増幅回路による増幅出力の大きさに応じて前記フィルタ回路における低周波成分の通過の規制度合を制御する制御回路とを含んで成るものである。
【００１２】
ここで、「オーディオ機器」とは、スピーカーを内蔵していないイヤホン専用のデジタルオーディオプレーヤーや小出力のスピーカーを内蔵するミニラジオのようなオーディオ機器を指している。
【００１３】
上記した構成のスピーカー付きアンプの外部接続端子と携帯電話のイヤホン専用端子とを接続ケーブルを介して接続したとき、外部接続端子より入力した携帯電話での音声受信信号は信号処理回路に取り込まれ、フィルタ回路を経て増幅回路で増幅され、その増幅出力はスピーカーで音声に変換されて出力される。この場合、フィルタ回路においてエコー現象を引き起こす要因となっている低周波成分の通過が規制されるもので、制御回路は増幅回路による増幅出力の大きさに応じてフィルタ回路における低周波成分の通過の規制度合を制御する。すなわち、スピーカーより出力される音声が大きいほど、エコー現象が強く顕著に現れて通話に支障をきたすので、増幅回路による増幅出力が大きいほど、フィルタ回路における低周波成分の通過の規制度合を高める。一方、スピーカーより出力される音声が小さいほど、エコー現象は強く現れず、通話に殆ど支障をきたさないので、増幅回路による増幅出力が小さいほど、フィルタ回路における低周波成分の通過の規制度合を弱める。
【００１４】
つぎに、上記した構成のスピーカー付きアンプの外部接続端子とオーディオ機器のオーディオ信号出力端子とを接続ケーブルを介して接続したとき、外部接続端子より入力したオーディオ信号は信号処理回路に取り込まれ、フィルタ回路を経て増幅回路で増幅され、その増幅出力はスピーカーで音に変換されて出力される。この場合も、増幅回路による増幅出力の大きさに応じてフィルタ回路における低周波成分の通過の規制度合が制御される。すなわち、増幅回路による増幅出力が大きいほど、フィルタ回路における低周波成分の通過の規制度合が高められるので、スピーカーより出力される音は高音寄りの澄んだ感じの音質となり、低周波成分のカットによる悪影響はない。また、増幅回路による増幅出力が小さいほど、フィルタ回路における低周波成分の通過の規制度合が弱められるので、音の変質はなく、低音が生かされる。
【００１５】
この発明の好ましい実施態様では、前記フィルタ回路は、外部接続端子にコンデンサと抵抗とを接続して構成されるローカットフィルタであり、前記制御回路は、前記増幅回路による増幅出力信号を全波整流して得られる信号を入力として能動領域で動作させるトランジスタを含んでおり、前記ローカットフィルタの抵抗に前記トランジスタの出力端を直列に接続して、その両端よりローカットフィルタの出力を得るようにしている。
【００１６】
この実施態様によると、ローカットフィルタのコンデンサのインピーダンスは信号の周波数が低いほど大きく、周波数が高くなるほど小さくなるので、ローカットフィルタにおいて低周波成分の通過が規制される。この場合に、ローカットフィルタのカットオフ周波数は、コンデンサの静電容量と抵抗の抵抗値とトランジスタの抵抗分の値とで決まるが、トランジスタは増幅回路による増幅出力を全波整流して得られる信号の大きさに応じて能動領域での動作を行うので、増幅回路による増幅出力が大きければ、トランジスタの抵抗分は小さくなり、したがって、カットオフ周波数は大きくなり、フィルタ回路における低周波成分の通過の規制度合は大きくなる。一方、増幅回路により増幅出力が小さければ、トランジスタの抵抗分は大きくなり、したがって、カットオフ周波数は小さくなり、フィルタ回路における低周波成分の通過の規制度合は小さくなる。
【００１７】
この発明による携帯電話のハンズフリー装置は、イヤホン専用端子を有する携帯電話に適用される携帯電話のハンズフリー装置であって、上記した構成のスピーカー付きアンプと、スピーカー付きアンプの外部接続端子と携帯電話のイヤホン専用端子との間をつなぐ接続ケーブルとから成るが、この発明は、これに限らず、イヤホンとマイクロフォンの兼用端子を有する携帯電話にも適用される。後者の携帯電話のハンズフリー装置は、上記した構成のスピーカー付きアンプと、スピーカー付きアンプの外部接続端子と携帯電話の前記兼用端子との間をつなぐ接続ケーブルとから成り、前記接続ケーブルにはマイクロフォンが組み込まれた操作部が設けられている。
【発明の効果】
【００１８】
この発明によれば、通話相手の音声をスピーカーより出力させるという用途に加えて、特に小型で小出力のオーディオ機器が出力するオーディオ信号を増幅してスピーカーより出力させるという用途にも適用でき、１台のスピーカー付きアンプを有効に活用できる。また、外部接続端子に携帯電話を接続するとき、その携帯電話がイヤホンとマイクロフォンの兼用端子に代えてイヤホン専用端子が設けられた機種であっても、通話相手の電話機においてエコー現象が発生するのを抑制できる。また、外部接続端子にオーディオ機器を接続するとき、フィルタ回路によりオーディオ出力信号中の低周波成分がカットされるが、音質の低下を招くおそれはない。
【図面の簡単な説明】
【００１９】
【図１】この発明の一実施例であるスピーカー付きアンプの概略構成を示すブロック図である。
【図２】スピーカー付きアンプと第２タイプの携帯電話またはオーディオ機器との接続状態を示す説明図である。
【図３】スピーカー付きアンプと第１タイプの携帯電話との接続状態を示す説明図である。
【図４】この発明の一実施例であるスピーカー付きアンプの構成と第２タイプの携帯電話のハンズフリー装置の構成とを示す電気回路図である。
【図５】この発明の一実施例であるスピーカー付きアンプの構成と第１タイプの携帯電話のハンズフリー装置の構成とを示す電気回路図である。
【図６】他の実施例のスピーカー付きアンプの回路構成を示す電気回路図である。
【図７】従来のスピーカー付きアンプの概略構成を示すブロック図である。
【発明を実施するための形態】
【００２０】
図１は、この発明の一実施例であるスピーカー付きアンプ３の概略構成を示している。
図示例のスピーカー付きアンプ３は、２種類の携帯電話１Ａ，１Ｂのいずれであってもそれを手に持たずに通話することのできるハンズフリー装置に適用されたもので、携帯電話１Ａ，１Ｂでの音声受信信号を増幅して通話相手の音声をスピーカー４０より出力させるという本来的な用途に加えて、ディジタルオーディオプレーヤーやミニラジオのような小型で小出力のオーディオ機器２が出力するオーディオ信号を増幅してスピーカー４０より出力させるという用途が付加されている。
【００２１】
いずれの携帯電話１Ａ，１Ｂも、通話相手からの音声信号を受信する受信回路と通話相手へ音声信号を送信する送信回路とを内蔵しているが、一方の携帯電話１Ａは、適所にイヤホンとマイクロフォンの兼用端子１１が設けられたものであり（以下「第１タイプの携帯電話１Ａ」という。）、この兼用端子１１とスピーカー付きアンプ３および音声入力のためのマイクロフォン８１とを後述する接続ケーブルによって接続することが可能である。この第１タイプの携帯電話１Ａでは、携帯電話１Ａに内蔵されているスピーカーやマイクロフォンを用いずに、外部接続されたスピーカー付きアンプ３のスピーカー４０とマイクロフォン８１とによって携帯電話のハンズフリー装置が構成される。
【００２２】
他方の携帯電話１Ｂは、上記した兼用端子は存在せず、適所にイヤホン専用端子１２が設けられたものであり（以下「第２タイプの携帯電話１Ｂ」という。）、このイヤホン専用端子１２にスピーカー付きアンプ３を接続することが可能である。この第２タイプの携帯電話１Ｂでは、スピーカー付きアンプ３のスピーカー４０と携帯電話１Ａに内蔵のマイクロフォンとによって携帯電話のハンズフリー装置が構成される。第２タイプの携帯電話１Ｂのハンズフリー装置では、携帯電話１Ｂに内蔵のマイクロフォンを用いるので、携帯電話１Ｂは着衣の胸のポケットに入れるなど、できるだけ口元近くに位置させる。
なお、携帯電話１Ａ，１Ｂは通話相手からの呼び出しに対して自動着信する機能を有しており、このハンズフリー装置を用いるとき、携帯電話１Ａ，１Ｂを自動着信の状態に設定しておくのが望ましい。
【００２３】
図示例のスピーカー付きアンプ３は、図２および図３に示すように、箱形の本体ケース３０の片面にスピーカー４０が設けられるとともに、一端面に２個の外部接続端子３１，３２が設けられたものである。一方の外部接続端子３１には、直列に接続される２本の接続ケーブル７，８を介して第１タイプの携帯電話１Ａを接続することが可能であり、また、１本の接続ケーブル７を介して第２タイプの携帯電話１Ｂまたはオーディオ機器２を接続することが可能である。他方の外部接続端子３２はヘッドホーンを接続するためのものである。なお図中、３３は動作表示ランプである。
【００２４】
本体ケース３０の内部には、外部接続端子３１より取り込まれた携帯電話１Ａ，１Ｂでの音声受信信号またはオーディオ機器２が出力するオーディオ信号を増幅する増幅回路４１を含む信号処理回路４が組み込まれている。増幅回路４１による増幅出力は音に変換されてスピーカー４０より出力される。信号処理回路４は、さらに、外部接続端子３１より取り込まれた信号に含まれる低周波成分の通過を規制するフィルタ回路５と、フィルタ回路５における低周波成分の通過規制動作を制御する制御回路６とを含んでいる。
【００２５】
この実施例の制御回路６は、外部接続端子３１に第２タイプの携帯電話１Ｂまたはオーディオ機器２が接続されたときは、増幅回路４１による増幅出力の大きさに応じてフィルタ回路５のカットオフ周波数を変化させてフィルタ回路における低周波成分の通過の規制度合を制御し、外部接続端子３１に第１タイプの携帯電話１Ａが接続されたときは、前記増幅出力の大小とは関係なくフィルタ回路５が所定のカットオフ周波数以下の低周波成分を通過させないように制御する。
【００２６】
スピーカー付きアンプ３は、第２タイプの携帯電話１Ｂやオーディオ機器２とは、図２に示すように、１本の第１の接続ケーブル７により接続される。第１の接続ケーブル７にはステレオオーディオケーブルが用いてあり、両端にはスピーカー付きアンプ３の外部接続端子３１と、オーディオ機器２のオーディオ信号出力端子２０または第２タイプの携帯電話１Ｂのイヤホン専用端子１２とに接続が可能な３極端子のプラグ７０，７１がそれぞれ装着されている。
【００２７】
スピーカー付きアンプ３と第１タイプの携帯電話１Ａとは、図３に示すように、直列に接続された第１、第２の接続ケーブル７，８を介して接続される。第２の接続ケーブル８は、一端に第１タイプの携帯電話１Ａの兼用端子１１に接続可能な平型端子８０が装着され、他端にマイクロフォン８１、発着信スイッチ８２、およびソケット８３が組み込まれた操作部８４が装着されている。この操作部８４のソケット８３には第１の接続ケーブル７のプラグ７１を接続することが可能である。
【００２８】
発着信スイッチ８２を着信時に押すと、電源が入ってスピーカー付きアンプ３の動作表示ランプ３３が点灯し、通話が可能となる。なお、携帯電話１Ａを自動着信の状態に設定しておけば、発着信スイッチ８２を押すことなく通話ができる。また、携帯電話１Ａが待機状態のときに発着信スイッチ８２を押すと、あらかじめ携帯電話１Ａで設定した番号に電話を掛けられる。
【００２９】
図４および図５は、この発明の一実施例であるスピーカー付きアンプ３の回路構成を示している。図４は、スピーカー付きアンプ３と第１の接続ケーブル７とを用いて第２タイプの携帯電話１Ｂのハンズフリー装置を構成したときの電気回路図であり、図５は、スピーカー付きアンプ３と第１の接続ケーブル７と図示しない第２の接続ケーブル８とを用いて第１タイプの携帯電話１Ａのハンズフリー装置を構成したときの電気回路図である。図４において、８１は第２の接続ケーブル８の操作部８４に設けられたマイクロフォンを示している。
【００３０】
第１の接続ケーブル７は１本のアースラインＥと２本が信号ラインＲ，Ｌとを有している。第１の接続ケーブル７の両端に設けられた各プラグ７０，７１は各ラインＥ，Ｒ，Ｌが繋がった電極部７０Ｅ，７０Ｒ，７０Ｌおよび７１Ｅ，７１Ｒ，７１Ｌをそれぞれ有している。第１の接続ケーブル７の２本の信号ラインＲ，Ｌは、プラグ７１がオーディオ機器２に接続されるときはオーディオ信号のステレオ出力回路にそれぞれ接続される。また、プラグ７１が第２タイプの携帯電話２Ｂに接続されるときは信号ラインＲが音声受信信号の受信回路に接続される。
【００３１】
図３に示した第２の接続ケーブル８も、図示していないが、１本のアースラインと２本が信号ラインとを有している。第２の接続ケーブル８の平型端子８０が第１タイプの携帯電話１Ａに接続されるときは、一方の信号ラインが音声受信信号の受信回路に、他方の信号ラインが音声送信信号の送信回路に、それぞれ接続される。マイクロフォン８１への音声入力で得られる音声送信信号は第１、第２の接続ケーブル７，８の信号ラインを介して携帯電話１Ａの音声送信信号の送信回路に供給される。
【００３２】
スピーカー付きアンプ３は、第１の接続ケーブル７が接続される外部接続端子３１を有し、外部接続端子３１より取り込まれた携帯電話１Ａ，１Ｂでの音声受信信号またはオーディオ機器２が出力するオーディオ信号を処理する信号処理回路４を内蔵している。外部接続端子３１は３１Ｅ，３１Ｒ，３１Ｌの３個の端子より成り、端子３１Ｅ、端子３１Ｒ、端子３１Ｌのそれぞれが第１の接続ケーブル７のプラグ７０に設けられた各電極部７０Ｅ，７０Ｒ，７０Ｌと接続される。携帯電話１Ａ，１Ｂでの音声受信信号やオーディオ機器２が出力するオーディオ信号は端子３１Ｒより取り込まれる。
【００３３】
第１タイプの携帯電話１Ａにおける音声送信回路は、通話可能な状態のとき信号送信が可能な電圧レベルに設定されているので、第１タイプの携帯電話１Ａの兼用端子１１に第１、第２の接続ケーブル７，８を介してスピーカー付きアンプ３が接続されたときは外部接続端子３１の端子３１Ｌに前記電圧レベルの電圧が取り出されるが、第２タイプの携帯電話１Ｂのイヤホン専用端子１２やオーディオ機器２のオーディオ信号出力端子２０に第１の接続ケーブル７を介してスピーカー付きアンプ３が接続されたときは端子３１Ｌにそのような電圧は現れない。
【００３４】
信号処理回路４は、外部接続端子３１の端子３１Ｒより取り込まれた携帯電話１Ａ，１Ｂでの音声受信信号またはオーディオ機器が出力するオーディオ信号を増幅するための増幅回路４１と、端子３１Ｒより取り込まれた信号に含まれる低周波成分の通過を規制するためのフィルタ回路５と、外部接続端子３１に第２タイプの携帯電話１Ｂまたはオーディオ機器２が接続されたときは増幅回路４１による増幅出力の大きさに応じてフィルタ回路５のカットオフ周波数を変化させてフィルタ回路５における低周波成分の通過の規制度合を制御し、外部接続端子３１に第１タイプの携帯電話１Ａが接続されたときは前記増幅出力の大きさとは関係なくフィルタ回路５が所定のカットオフ周波数以下の低周波成分を通過させないように制御する制御回路６とを含んでいる。
【００３５】
前記フィルタ回路５は、２個のコンデンサＣ１，Ｃ２と１個の抵抗Ｒ１とで構成されるローカットフィルタであり、外部接続端子３１の端子３１Ｒに直列に接続されるコンデンサＣ１と抵抗Ｒ１とで分圧回路が構成されている。フィルタ回路５のコンデンサＣ１のインピーダンスは入力した信号の周波数が低いほど大きく、周波数が高くなるほど小さくなるので、周波数が低いときは、コンデンサＣ１のインピーダンスが大きくなって出力電圧が小さくなり、一方、周波数が高いときは、コンデンサＣ１のインピーダンスが小さくなって出力電圧が大きくなる。このようにして、フィルタ回路５において端子３１Ｒより取り込まれた信号の低周波成分の通過が規制される。
【００３６】
前記制御回路６はトランジスタＴＲ１を含み、このトランジスタＴＲ１のベースには、外部接続端子３１に第２タイプの携帯電話１Ｂまたはオーディオ機器２が接続されたときは前記増幅回路４１による増幅出力を全波整流回路４２で全波整流しかつ平滑コンデンサＣ３で平滑して得られる信号が、また、外部接続端子３１に第１タイプの携帯電話１Ａが接続されたときは外部接続端子３１の端子３１Ｌに取り出される携帯電話１Ａの音声送信回路に設定された一定の電圧レベルの信号が、それぞれ制御信号として入力される。  
【００３７】
このトランジスタＴＲ１はエミッタ側が接地されたエミッタ接地回路を構成しており、、コレクタがフィルタ回路５の前記抵抗Ｒ１に接続されている。第２タイプの携帯電話１Ｂまたはオーディオ機器２が接続されたときの増幅回路４１の増幅出力より得られる制御信号が逆流阻止用のダイオードＤ１および抵抗Ｒ２を介してトランジスタＴＲ１のベースへ与えられると、トランジスタＴＲ１は能動領域で動作するもので、フィルタ回路５のカットオフ周波数は、コンデンサＣ１の静電容量と抵抗Ｒ１の抵抗値とトランジスタＴＲ１のエミッタ、コレクタ間の抵抗分の値とで決まる。
【００３８】
第１タイプの携帯電話１Ａが接続されたときの外部接続端子３１の端子３１Ｌより得られる一定の電圧レベルの制御信号が逆流阻止用のダイオードＤ２および抵抗Ｒ３を介してトランジスタＴＲ１のベースへ与えられると、トランジスタＴＲ１は導通状態、すなわち、スイッチング動作のオン状態となる。このとき、トランジスタＴＲ１のエミッタ、コレクタ間の抵抗分はほぼゼロであるから、フィルタ回路５のカットオフ周波数は、コンデンサＣ１の静電容量と抵抗Ｒ１の抵抗値とで決まる。
フィルタ回路５の出力信号はコンデンサＣ２を通して増幅回路４１へ与えられ、増幅回路４１は前記出力信号を増幅して得られる音声信号をスピーカー４０へ出力する。
【００３９】
図６は、フィルタ回路５と増幅回路４１との間に２個の抵抗Ｒ５，Ｒ６とトランジスタＴＲ２とで構成される分圧回路が介装された他の実施例を示しており、抵抗Ｒ５，Ｒ６が直列に接続されるとともに、抵抗Ｒ５にトランジスタＴＲ２が並列に接続されている。この実施例では、フィルタ回路５の出力が上記の分圧回路に与えられ、抵抗Ｒ５とトランジスタＴＲ２との並列回路に対して抵抗Ｒ６に分圧される出力が増幅回路４１に与えられる。外部接続端子３１に携帯電話１Ｂが接続されたときは、トランジスタＴＲ２がオン状態になってフィルタ回路５の出力がそのまま抵抗Ｒ６に取り出され、一方、外部接続端子３１にオーディオ機器２が接続されたときは、トランジスタＴＲ２が能動領域で動作し、抵抗Ｒ６には、トランジスタＴＲ２の動作点に応じてフィルタ回路５の出力が分圧される。したがって、増幅回路４１の増幅出力は、携帯電話１Ｂでの音声受信信号の方がオーディオ機器２のオーディオ信号より大きくなり、音声受信信号は低周波成分の通過の規制度合が大きく、それに比べてオーディオ信号は低周波成分の通過の規制度合は小さくなる。
【００４０】
上記した構成のスピーカー付きアンプ３の外部接続端子３１と第２タイプの携帯電話１Ｂのイヤホン専用端子１２とが第１の接続ケーブル７を介して接続されたとき、外部接続端子３１の端子３１Ｒより入力した携帯電話１Ｂでの音声受信信号は信号処理回路４に取り込まれ、フィルタ回路５を経て増幅回路４１で増幅され、その増幅出力はスピーカー４０で音声に変換されて出力される。この場合、フィルタ回路５においてエコー現象を引き起こす要因となっている低周波成分の通過が規制されるが、制御回路６は増幅回路４１による増幅出力の大きさに応じてフィルタ回路５における低周波成分の通過の規制度合を制御する。すなわち、スピーカー４０より出力される音声が大きいほど、エコー現象が強く顕著に現れ、通話に支障をきたすので、増幅回路４１による増幅出力が大きいほど、フィルタ回路５における低周波成分の通過の規制度合を高める。一方、スピーカー４０より出力される音声が小さいほど、エコー現象は強く現れず、通話に殆ど支障をきたさないので、増幅回路４１による増幅出力が小さいほど、フィルタ回路５における低周波成分の通過の規制度合を弱める。
【００４１】
つぎに、スピーカー付きアンプ３の外部接続端子３１とオーディオ機器２のオーディオ信号出力端子２０とが第１の接続ケーブル７を介して接続されたとき、外部接続端子３１より入力したオーディオ信号は信号処理回路４に取り込まれ、フィルタ回路５を経て増幅回路４１で増幅され、その増幅出力はスピーカー４０で音に変換されて出力される。この場合にも、増幅回路４１による増幅出力の大きさに応じてフィルタ回路５における低周波成分の通過の規制度合が制御される。すなわち、増幅回路４１による増幅出力が大きいほど、フィルタ回路５における低周波成分の通過の規制度合が高められるので、スピーカー４０より出力される音は高音寄りの澄んだ感じの音質となり、低周波成分のカットによる悪影響はない。また、増幅回路４１による増幅出力が小さいほど、フィルタ回路５における低周波成分の通過の規制度合が弱められるので、音の変質はなく、低音が生かされる。
【００４２】
つぎに、上記したスピーカー付きアンプ３の各動作におけるフィルタ回路５の動作を説明すると、フィルタ回路５を構成するローカットフィルタのコンデンサＣ１は信号の周波数が低いほどインピーダンスが大きく、周波数が高くなるほどインピーダンスが小さくなるので、フィルタ回路５において低周波成分の通過が規制される。この場合に、カットオフ周波数は、コンデンサＣ１の静電容量と抵抗Ｒ１の抵抗値とトランジスタＴＲ１の抵抗分の値とで決まるが、トランジスタＴＲ１は増幅回路４１による増幅出力を全波整流回路４２で全波整流して得られる信号の大きさに応じて能動領域での動作を行うので、増幅回路４１による増幅出力が大きければ、トランジスタＴＲ１の抵抗分は小さくなり、したがって、カットオフ周波数は大きくなり、フィルタ回路５における低周波成分の通過の規制度合が大きくなる。一方、増幅回路４１により増幅出力が小さければ、トランジスタＴＲ１の抵抗分は大きくなり、したがって、カットオフ周波数は小さくなり、フィルタ回路５における低周波成分の通過の規制度合が小さくなる。
【００４３】
つぎに、スピーカー付きアンプ３の外部接続端子３１と第１タイプの携帯電話１Ａの兼用端子１１とが第１、第２の接続ケーブル７，８を介して接続されたとき、外部接続端子３１の端子３１Ｒより入力した携帯電話１Ｂでの音声受信信号は信号処理回路４に取り込まれ、フィルタ回路５を経て増幅回路４１で増幅され、その増幅出力はスピーカー４０で音声に変換されて出力される。この場合、フィルタ回路５においてエコー現象を引き起こす要因となっている低周波成分の通過が規制される。
【００４４】
携帯電話１Ａが通話可能な状態にあるとき、携帯電話１Ａの音声送信回路は信号送信が可能な電圧レベルに設定されているので、外部接続端子３１の端子３１Ｌに前記電圧レベルの電圧が取り出され、この電圧が制御回路６のトランジスタＴＲ１のベースにかかり、トランジスタＴＲ１は導通状態となる。その結果、フィルタ回路５のカットオフ周波数はコンデンサＣ１の静電容量と抵抗Ｒ１の抵抗値とで決まり、前記増幅出力の大きさとは関係なくフィルタ回路５が所定のカットオフ周波数以下の低周波成分をカットして低音を除去するもので、これによりエコー現象の発生が抑制される。
【符号の説明】
【００４５】
１Ａ，１Ｂ  携帯電話
２    オーディオ機器
３    スピーカー付きアンプ
４    信号処理回路
５    フィルタ回路
６    制御回路
７，８  接続ケーブル
３１  外部接続端子
４１  増幅回路
４２  全波整流回路
【図１】
2011114650.tif 000003
【図２】
2011114650.tif 000004
【図３】
2011114650.tif 000005
【図４】
2011114650.tif 000006
【図５】
2011114650.tif 000007
【図６】
2011114650.tif 000008
【図７】
2011114650.tif 000009